(57)【要約】【課題】フィルタユニットと収納枠との密着性を高め空気漏れを無くするとともに、収納枠へのフィルタユニットの着脱を容易にできるフィルタ収納装置を提供することを目的とする。【解決手段】集塵フィルタ１のひだ折り方向と直交する両側面に設けた主弾性体２を介して補強体３を設けたフィルタユニット７を着脱可能に収納する収納枠８を設け、補強体３は主弾性体２の厚み方向を除く一面に接合され、収納枠８にはフィルタユニット７の収納部１１と、収納部１１の前後に後部押え部９と前部押え部１０を設けることにより、フィルタユニット７と収納枠８との密着性が高められ空気漏れが無くなるとともに、収納枠８へのフィルタユニット７の着脱が容易となるフィルタ収納装置が得られる。【選択図】図１
2006198453.tif 000002
【特許請求の範囲】
【請求項１】
ひだ折り加工された集塵フィルタと、この集塵フィルタのひだ折り方向と直交する両側面に設けた主弾性体と、この主弾性体を介して一対の補強体を付設したフィルタユニットと、このフィルタユニットを着脱可能に収納する収納枠とを備え、前記補強体は前記主弾性体の厚み方向を除く一面に接合され、前記収納枠には前記フィルタユニットの収納部と、この収納部の前後に押え部をと突設したフィルタ収納装置。
【請求項２】
補強体を断面略コ字形状で、主弾性体を覆うように接合した請求項１記載のフィルタ収納装置。
【請求項３】
補強体を主弾性体への接合部と、この接合部からの直角方向に延設する補強片からなり、前記補強片は巾寸法を主弾性体の厚み寸法以上とした請求項１または２記載のフィルタ収納装置。
【請求項４】
補強体を板厚１ｍｍ以上の厚紙で形成した請求項１記載のフィルタ収納装置。
【請求項５】
集塵フィルタのひだ折り方向と平行の両側面に補助弾性体を設け、前記補助弾性体の厚み寸法を主弾性体の厚み寸法以下とした請求項１記載のフィルタ収納装置。
【請求項６】
収納枠の後面４辺に後部押え部を設け、前記収納枠の前面には補強体の補強片と対応する２辺に前部押え部を設けた請求項１記載のフィルタ収納装置。
【請求項７】
前部押え部を内側に傾斜して形成した請求項６記載のフィルタ収納装置。
【請求項８】
補強体を断面略Ｌ字形で主弾性体の後部側を覆うように形成した請求項１記載のフィルタ収納装置。
【請求項９】
補強体に設けられる補強片の一部に切り起こし爪を設けた請求項３記載のフィルタ収納装置。  
【発明の詳細な説明】
【技術分野】
【０００１】
本発明は、空気調和装置の空気流路に設けられるフィルタを収納するフィルタ収納装置に関する。
【背景技術】
【０００２】
従来、この種のフィルタ収納装置の一例として濾過エレメントを弾圧可動片を介してフレームに収納するフィルタが知られている（例えば特許文献１参照）。
【０００３】
以下、そのフィルタについて図９および図１０を参照しながら説明する。
【０００４】
図に示すように、不織布を波状に成形した濾過エレメント１０１の全周に設けられる外方に向けて拡開弾発された弾発可動片１０２を有し、弾発可動片１０２は、その基部１０３が濾過エレメント１０１に連結されるとともに、その先端部には自由端１０４を有し、濾過エレメント１０１および弾発可動片１０２からなるフィルタ１０５は、フレーム１０６内に挿入配設され、フレーム１０６には弾発可動片１０２の自由端１０４を係止する係止部１０７を設けている。
【特許文献１】特開平８−２０６４２５号公報（〔００１５〕〜〔００２０〕、図１〜図４）
【発明の開示】
【発明が解決しようとする課題】
【０００５】
このような従来のフィルタでは、フレーム１０６内に収納されるフィルタ１０５の弾発可動片１０２は、フレーム１０６に線接触となっており、シール性にとぼしいという課題があり、シール部を面接触にして密着性を高め空気漏れを無くすことが要求されている。
【０００６】
また、フィルタ性能を維持するために、フィルタ１０５を定期的に交換する必要があるが、４箇所の自由端１０４によりフレーム１０６に取り付けているため，４箇所全てを解除しなければフィルタ１０５をフレーム１０６より取り出せないという課題があり、フィルタ１０５を取り外すときに容易に取り外せるようにすることが要求されている。
【０００７】
本発明は、このような従来の課題を解決するものであり、フィルタと収納枠との密着性を高め空気漏れを無くするとともに、収納枠へのフィルタの着脱を容易にできるフィルタ収納装置を提供することを目的としている。
【課題を解決するための手段】
【０００８】
本発明のフィルタ収納装置は上記目的を達成するために、ひだ折り加工された集塵フィルタと、この集塵フィルタのひだ折り方向と直交する両側面に設けた主弾性体と、この主弾性体を介して、一対の補強体を付設したフィルタユニットと、このフィルタユニットを着脱可能に収納する収納部とを備え、前記補強体は前記主弾性体の厚み方向を除く一面に接合され、前記収納部には前記フィルタユニットの収納部と、この収納部の前後に押え部を突設したものである。
【０００９】
この手段により、フィルタと収納枠との密着性を高め空気漏れをなくするとともに、収納枠へのフィルタの着脱を容易にできるフィルタ収納装置が得られる。
【００１０】
また、他の手段は、補強体を断面略コ字形状で主弾性体を覆うように接合したものである。
【００１１】
この手段により、集塵フィルタのひだ折り方向と直交する両側面に主弾性体が密着し、空気漏れを防止することができるフィルタ収納装置が得られる。
【００１２】
また、他の手段は、補強体を主弾性体への接合部と、この接合部から直角方向に延設する補強片からなり、前記補強片は巾寸法を主弾性体の厚み寸法以上としたものである。
【００１３】
この手段により、主弾性体に加えて補強片の働きにより、シール性を高めることができるフィルタ収納装置が得られる。
【００１４】
また、他の手段は、補強体を板厚１ｍｍ以上の厚紙で形成したものである。
【００１５】
この手段により、フィルタの強度を維持しつつ廃棄時の分別作業を不要にすることができるとともに、フィルタの作成工程を短縮することができるフィルタ収納装置が得られる。
【００１６】
また、他の手段は、集塵フィルタのひだ折り方向と平行の両側面に補助弾性体を設け、前記補助弾性体の厚み寸法を主弾性体の厚み寸法以下としたものである。
【００１７】
この手段により、補助弾性体の厚み寸法を小さくして、シール性を保ちつつ省資源化を図ることができるフィルタ収納装置が得られる。
【００１８】
また、他の手段は、収納枠の後面４辺に後部押え部を設け、前記収納枠の前面には、補強体の補強片と対応する２辺に前部押え部を設けたものである。
【００１９】
この手段により、フィルタの脱落を防止することができるフィルタ収納装置が得られる。  
【００２０】
また、他の手段は、前部押え部を内側に傾斜して形成したものである。
【００２１】
この手段によりシール性の向上を図ることができるフィルタ収納装置がえられる。
【００２２】
また、他の手段は、補強体を断面略Ｌ字形で主弾性体の後部側を覆うように形成したものである。
【００２３】
この手段により、材料の消滅およびフィルタの着脱を容易にすることができるフィルタ
収納装置が得られる。
【００２４】
また、他の手段は、補強体に設けられる補強片の一部に切り起し可能な切り起し片を設けたものである。
【００２５】
この手段により、フィルタを収納枠から容易に取り出すことができるフィルタ収納装置が得られる。
【発明の効果】
【００２６】
本発明によれば、フィルタと収納枠との密着性を高め空気漏れを無くするとともに収納枠へのフィルタの着脱を容易にできるという効果のあるフィルタ収納装置を提供できる。
【００２７】
また、集塵フィルタからの空気漏れを無くすという効果のあるフィルタ収納装置が提供できる。
【００２８】
また、シール性が高められるという効果のあるフィルタ収納装置が提供できる。
【００２９】
また、廃棄時の分別作業を削減し、フィルタの作成工程の短縮を図れるという効果のあるフィルタ収納装置が提供できる。
【００３０】
また、省資源化を図れるという効果のあるフィルタ収納装置が提供できる。
【００３１】
また、フィルタの脱落を防止できるという効果あるフィルタ収納装置が提供できる。
【００３２】
また、材料を削減し、フィルタの着脱を容易にできるという効果のあるフィルタ収納装置が提供できる。
【００３３】
また、フィルタの取り出しを容易にできるという効果のあるフィルタ収納装置を提供できる。
【発明を実施するための最良の形態】
【００３４】
本発明の請求項１記載の発明は、ひだ折り加工された集塵フィルタと、この集塵フィルタのひだ折り方向と直交する両側面に設けた主弾性体と、この主弾性体を介して一対の補強体を付設したフィルタユニットと、このフィルタユニットを着脱可能に収納する収納枠とを備え、前記補強体は前記主弾性体の厚み方向を除く一面に接合され、前記収納枠には前記フィルタユニットの収納部と、この収納部の前後に押え部を突設したものであり、集塵フィルタのひだ折り方向に直交する両側面に設けた主弾性体が補強体により保持されてフィルタユニットが形成されることにより、フィルタユニットを収納枠に収納したときに、補強体が主弾性体の弾性力により収納枠に面接触状態で接触するとともに、主弾性体が補強体と集塵フィルタ間に密着することにより、空気漏れが防止される。また、フィルタユニットを補強体のある一方向に圧縮するだけで、収納枠から容易に外すことができ、分解時の作業性を改善するこができるという作用を有する。
【００３５】
また、請求項２記載の発明は、補強体を断面略コ字形状で主弾性体を覆うように接合したものであり、主弾性体は断面略コ字形状の補強体で覆われることにより、主弾性体および、主弾性体近傍を通って空気が漏れることが防止できるという作用を有する。
【００３６】
また、請求項３記載の発明は、補強体を、主弾性体への接合部と、この接合部からの直角方向に延設する補強片からなり、前記補強片は巾寸法を主弾性体の厚み寸法以上としたもであり、補強体に設けられる補強片の巾寸法を、主弾性体の厚み寸法以上としたことにより補強体の内部に設けられる主弾性体を常に覆うこととなり、主弾性体のシール機能に加えて、さらにシール性を向上することができるという作用を有する。
【００３７】
また、請求項４記載の発明は、補強体を板厚１ｍｍ以上の厚紙で形成したものであり、補強体の強度を維持することができるとともに、フィルタの廃棄時に、補強体を合成樹脂や金属で作った場合のときのように分別作業をする必要がなくなる。また、補強体を合成樹脂で形成する場合と比較して加工が容易で、フィルタの作成工程も短縮することができるという作用を有する。
【００３８】
また、請求項５記載の発明は、集塵フィルタのひだ折り方向と平行の両側面に補助弾性体を設け、前記補助弾性体の厚み寸法を主弾性体の厚み寸法以下としたものであり、集塵フィルタの側面に補助弾性体を設け、収納枠の内面と面接触させることができるとともに、集塵フィルタのひだ折り方向には弾力性があるため、補助弾性体の厚み寸法を小さくしてもシール性を保ちつつ省資源化を図ることができるという作用を有する。
【００３９】
また、請求項６記載の発明は、収納枠の後面４辺に後部押え部を設け、前記収納枠の前面には補強体の補強片と対応する２辺に前部押え部を設けたものであり、収納枠の後面４辺に後部押え部を設けることにより、集塵フィルタに大きな風圧が加わったり、集塵フィルタの目詰りにより空気抵抗が増加したときに、集塵フィルタに大きな力が加わり収納枠から脱落するのを防止することができるという作用を有する。
【００４０】
また、請求項７記載の発明は、前部押え部を内側に傾斜して形成したものであり、収納枠の前部押え部側より前後方向に押圧状態で集塵フィルタを収納したとき、前部押え部を内側に傾斜していることにより、集塵フィルタの前後方向への遊びがなくなり、シール性を高めることができるという作用を有する。
【００４１】
また、請求項８記載の発明は、補強体を断面略Ｌ字形で主弾性体の後部側を覆うように形成したものであり、断面コ字形状の補強体の形状を断面Ｌ字形状とすることにより、材料の節減が図れるとともに、着脱を容易にすることができるという作用を有する。
【００４２】
また、請求項９記載の発明は、補強体に設けられる補強片の一部に切り起し爪を設けたものであり、フィルタユニットを収納枠から外すときに、フィルタユニットを下方に押し下げながら手前に引き外す手掛かりとして、切り起し爪を引き出す動作により容易にフィルタユニットを収納枠より取り外すことができるという作用を有する。
【００４３】
以下、本発明の実施の形態について図面を参照しながら説明する。
【００４４】
（実施の形態１）
図１〜図３に示すように、不織布をひだ折り加工された集塵フィルタ１のひだ折り方向と直交する両側面を覆うように発泡ウレタン等からなる主弾性体２を設け、主弾性体２を覆うよう断面略コ字形状の補強体３を接合し、補強体３には、主弾性体２の接合部４と、この接合部４から直角方向に延設する補強片５からなり、補強片５の巾寸法を主弾性体２の厚み寸法以上に形成し、補強体３は板厚１ｍｍ以上の厚紙で成形し、集塵フィルタ１のひだ折り方向と平行の両側面に発泡ウレタンからなるスポンジ状の補助弾性体６を設け、補助弾性体６の厚み寸法は主弾性体２の厚み寸法以下に形成し、集塵フィルタ１のひだ折り方向と直交する両側面に主弾性体２を補強体３を介して設け、集塵フィルタ１のひだ折り方向と平行の両側面に補助弾性体６を設け、フィルタユニット７を形成する。
【００４５】
また、フィルタユニット７を収納する収納枠８は４面で方形に形成し、収納枠８の後面４辺にフィルタユニット７を受け止める後部押え部９を設け、収納枠８の前面には補強体３の補強片５と対応する２辺に前部押え部１０を設け、後部押え部９と前部押え部１０間に収納部１１を形成し構成する。
【００４６】
上記構成において、フィルタユニット７を収納枠８に収納するときにはフィルタユニット７に主弾性体２を介して設けられた補強体３を主弾性体２側に圧して寸法を縮小した状態で、収納枠８の前部押え部１０を乗り越えて収納枠８の収納部１１内に収納する。
【００４７】
このとき、フィルタユニット７の後部に収納枠８の４辺に設けた後部押え部９で受け止められ後部から抜けることがなく、フィルタユニット７の前部側は、前部押え部１０がフィルタユニット７の前部に当接して保持される。
【００４８】
また、フィルタユニット７を目詰り等により交換するときには、フィルタユニット７に設けた主弾性体２の弾性圧に抗してフィルタユニット７を縮小し、前部押え部１０側より取り外して交換をする。
【００４９】
そして、フィルタユニット７を収納枠８に収納したときに、補強体３が主弾性体２の弾性力により収納枠８に面接触状態で接触するとともに、主弾性体２が補強体３と集塵フィルタ１間に密着することにより、空気漏れが防止されるとともに、フィルタユニット７は、一方向から動かすだけで収納枠８から外すことができ、作業性を改善することができる。
【００５０】
また、主弾性体２は断面略コ字形状の補強体３で覆われることにより、主弾性体２および主弾性体２近傍を通って空気が漏れることがないとともに、補強体３に設けられる補強片５の巾寸法を主弾性体２の厚み寸法以上としたことにより、補強体３の内部に設けられる主弾性体２が常に覆われることとなり、主弾性体２に空気漏れがあっても確実にシールすることができる。
【００５１】
また、補強体３は、板厚１ｍｍ以上の厚紙で形成したことにより、補強体３の強度を維持することができるとともに、フィルタユニット７の廃棄時に、補強体３が合成樹脂製の場合のような、分別作業をする必要がなく加工性も良いこととなる。
【００５２】
また、集塵フィルタ１のひだ折り方向と平行の側面に補助弾性体６を設けることにより、集塵フィルタ１はひだ折り方向に弾力性があるため補助弾性体６の厚み寸法を小さくしてもシール性を保ちつつ省資源化を図ることができる。
【００５３】
また、収納枠８の後面４辺に後部押え部９を設けることにより、フィルタユニット７に大きな風圧が加わったり、フィルタユニット７の目詰りにより空気抵抗が増加したときに、フィルタユニット７が収納枠８から脱落することがなく、前部押え部１０を内側に当接していることにより、フィルタユニット７の前後方向への遊びがなくなりシール性を高めることができる。
【００５４】
（実施の形態２）
図４に示すように、収納枠８Ａの前部押え部１０Ａを内側に傾斜させ構成する。
【００５５】
上記構成において、フィルタユニット７Ａを収納枠８Ａに収納するときには、収納枠８Ａの前部押え部１０Ａを乗り越えるようにフィルタユニット７Ａに設けた補強体３Ａにより主弾性体２Ａを圧してフィルタユニット７Ａを収納枠８Ａに収納する。
【００５６】
また、フィルタユニット７Ａを目詰り等により交換するときには、フィルタユニット７Ａに設けた主弾性体２Ａの弾性圧等に抗してフィルタユニット７Ａを縮小し、前部押え部１０Ａ側より取り外し交換する。
【００５７】
そして、フィルタユニット７Ａを収納枠８Ａに収納したとき前部押え部１０Ａが内側に傾斜していることにより、前部押え部１０Ａの傾斜端部がフィルタユニット７Ａに当接し、収納枠８Ａ内での前後方向への遊びをなくし、シール性をより確実にすることができる。
【００５８】
（実施の形態３）
図５および図６に示すように、集塵フィルタ１Ａの側面に設けられる主弾性体２Ｂの後面側を覆う補強片５Ａを設けた断面Ｌ字形の補強体３Ｂを設け、フィルタユニット７Ｂを構成する。
【００５９】
上記構成において、フィルタユニット７Ｂを収納枠８Ｂに収納したときには、補強体３Ｂの補強片５Ａが収納枠８Ｂの後部押え部９Ａに当接して受け止められて収納されることとなる。
【００６０】
そして、補強体３Ｂは、断面をコ字形に形成した場合に比較して材料が少なく着脱が容易となることとなる。
【００６１】
（実施の形態４）
図７および図８に示すように、補強体３Ｃに設けられる補強片５Ｂのうち前部側の一部に切り起し爪１２を設け、フィルタユニット７Ｃを構成する。
【００６２】
上記構成において、フィルタユニット７Ｃを収納枠８Ｃに収納するときには、切り起し爪１２が切り起こされていない状態で収納し、収納されたフィルタユニット７Ｃを取り外すときには、垂直状態にある切り起し爪１２を水平状態に起こすことにより切り起し爪１２は、補強体３Ｃと同一面となるように主弾性体２Ｃが圧されて水平状態に起こされ、収納枠８Ｃの前部押え部１０の一端面より取り出すことができる。
【００６３】
そして、切り起し爪１２を設けない場合と比較し、取り外し作業が容易となることとなる。
【産業上の利用可能性】
【００６４】
集塵フィルタに主弾性体を介し紙で形成した補強体を取り付ける構造を用いることにより、集塵分野の用途に広く適用できる。
【図面の簡単な説明】
【００６５】
【図１】本発明の実施の形態１のフィルタ収納装置の要部断面図
【図２】同フィルタ収納装置のフィルタユニットの斜視図
【図３】同フィルタ収納装置の収納枠の斜視図
【図４】本発明の実施の形態２のフィルタ収納装置の要部断面図
【図５】本発明の実施の形態３のフィルタ収納装置の要部断面図
【図６】同フィルタ収納装置のフィルタユニットの斜視図
【図７】本発明の実施の形態４のフィルタ収納装置のフィルタユニットを取り外すときの状態を示す要部断面図
【図８】同フィルタ収納装置のフィルタユニットの斜視図
【図９】（ａ）従来のフィルタ収納装置のフィルタの斜視図（ｂ）同フィルタを収納するフレームの斜視図
【図１０】同フィルタをフレームに収納した状態の断面図
【符号の説明】
【００６６】
１      集塵フィルタ
２      主弾性体
２Ｂ    主弾性体
３      補強体
３Ｂ    補強体
３Ｃ    補強体
４      接合部
５      補強片
５Ｂ    補強片
６      補助弾性体
７      フィルタユニット
８      収納枠
９      後部押え部
１０    前部押え部
１０Ａ  前部押え部
１１    収納部
１２    切り起し爪
【図１】
2006198453.tif 000003
【図２】
2006198453.tif 000004
【図３】
2006198453.tif 000005
【図４】
2006198453.tif 000006
【図５】
2006198453.tif 000007
【図６】
2006198453.tif 000008
【図７】
2006198453.tif 000009
【図８】
2006198453.tif 000010
【図９】
2006198453.tif 000011
【図１０】
2006198453.tif 000012